(57)【特許請求の範囲】
【請求項１】
操作インタフェースを表示するための方法であって、
タッチスクリーン上の第1設定領域においてユーザによって入力されるタッチ操作を受信するステップと、
前記タッチ操作が第2設定領域において終了することが検出される場合、前記タッチスクリーンの領域上において、第1操作インタフェースの表示を、前記第2設定領域に対応する第2操作インタフェースの表示に切り替えるステップと
を含み、
前記タッチスクリーン上に、前記第2設定領域に対応する第2操作インタフェースを表示する前記ステップは、特に、
前記第2設定領域と前記第1設定領域との間の位置関係を決定するステップと、
前記第2設定領域が前記第1設定領域の第1設定位置に位置する場合、操作インタフェースのプリセットのシーケンスにおける第1表示インタフェースを前記第2操作インタフェースとして使用するステップ、および、前記第2設定領域が前記第1設定領域の第2設定位置に位置する場合、操作インタフェースの前記プリセットのシーケンスにおける第2表示インタフェースを第2操作インタフェースとして使用するステップであって、前記第1操作インタフェースは、前記第2操作インタフェースと異なる、ステップと、
前記タッチスクリーン上に前記第2操作インタフェースを表示するステップと
を含む、方法。
【請求項２】
前記タッチ操作が前記第1設定領域において終了することが検出される場合、前記タッチスクリーン上に、前記第1設定領域に対応する第1操作インタフェースを表示するステップをさらに含む、請求項1に記載の方法。
【請求項３】
タッチスクリーン上の第1設定領域においてユーザによって入力されるタッチ操作を受信する前記ステップの後であって、前記タッチスクリーン上に、前記第2設定領域に対応する第2操作インタフェースを表示する前記ステップの前に、前記方法は、
前記第1操作インタフェースの一部を表示するステップ、および操作インタフェース間の切り替えのためのプロンプトを表示するステップをさらに含む、請求項2に記載の方法。
【請求項４】
操作インタフェースを表示するための装置であって、
タッチスクリーン上の第1設定領域においてユーザによって入力されるタッチ操作を受信するように構成された受信ユニットと、
前記タッチ操作が第2設定領域において終了するかどうかを検出するように構成された検出ユニットと、
前記検出ユニットが前記タッチ操作が前記第2設定領域において終了することを検出した場合、前記タッチスクリーンの領域上において、第1操作インタフェースの表示を、前記第2設定領域に対応する第2操作インタフェースの表示に切り替えるように構成された第1表示ユニットと
を備え、
前記第1表示ユニットは、
前記第2設定領域と前記第1設定領域との間の位置関係を決定するように構成された決定サブユニットと、
前記決定サブユニットが前記第2設定領域が前記第1設定領域の第1設定位置に位置すると決定する場合、操作インタフェースのプリセットのシーケンスにおける第1表示インタフェースを前記第2操作インタフェースとして使用し、かつ、前記決定サブユニットが前記第2設定領域が前記第1設定領域の第2設定位置に位置すると決定する場合、操作インタフェースの前記プリセットのシーケンスにおける第2表示インタフェースを前記第2操作インタフェースとして使用するように構成された判定サブユニットであって、前記第1操作インタフェースは、前記第2操作インタフェースと異なる、判定サブユニットと、
前記タッチスクリーン上に、前記第2操作インタフェースを表示するように構成された表示サブユニットと
を備える、装置。
【請求項５】
前記検出ユニットが前記タッチ操作が前記第1設定領域において終了することを検出した場合、前記タッチスクリーン上に、前記第1設定領域に対応する第1操作インタフェースを表示するように構成された第2表示ユニットをさらに備える、請求項4に記載の装置。
【請求項６】
前記受信ユニットが、前記タッチスクリーン上の前記第1設定領域において前記ユーザによって入力される前記タッチ操作を受信した後であって、前記第1表示ユニットが、前記タッチスクリーン上に、前記第2設定領域に対応する前記第2操作インタフェースを表示する前に、前記第1操作インタフェースの一部を表示し、かつ、操作インタフェース間の切り替えのためのプロンプトを表示するように構成された第3表示ユニットをさらに備える、請求項5に記載の装置。
【請求項７】
タッチスクリーン上の第1設定領域においてユーザによって入力されるタッチ操作を受信するように構成されたトランシーバと、
前記タッチ操作が第2設定領域において終了するかどうかを検出するように構成されたプロセッサと、
前記プロセッサが前記タッチ操作が前記第2設定領域において終了することを検出した場合、前記タッチスクリーンの領域上において、第1操作インタフェースの表示を、前記第2設定領域に対応する第2操作インタフェースの表示に切り替えるように構成された第1ディスプレイと
を備え、
前記第1ディスプレイは、
前記第2設定領域と前記第1設定領域との間の位置関係を決定するように構成された決定サブユニットと、
前記決定サブユニットが前記第2設定領域が前記第1設定領域の第1設定位置に位置すると決定する場合、操作インタフェースのプリセットのシーケンスにおける第1表示インタフェースを前記第2操作インタフェースとして使用し、かつ、前記決定サブユニットが前記第2設定領域が前記第1設定領域の第2設定位置に位置すると決定する場合、操作インタフェースの前記プリセットのシーケンスにおける第2表示インタフェースを前記第2操作インタフェースとして使用するように構成された判定サブユニットであって、前記第1操作インタフェースは、前記第2操作インタフェースと異なる、判定サブユニットと、
前記タッチスクリーン上に、前記第2操作インタフェースを表示するように構成された表示サブユニットと
を備える、タッチスクリーン端末。
【請求項８】
前記プロセッサが前記タッチ操作が前記第1設定領域において終了することを検出した場合、前記タッチスクリーン上に、前記第1設定領域に対応する第1操作インタフェースを表示するように構成された第2ディスプレイをさらに備える、請求項7に記載のタッチスクリーン端末。
【請求項９】
前記トランシーバが、前記タッチスクリーン上の前記第1設定領域において前記ユーザによって入力される前記タッチ操作を受信した後であって、前記第1ディスプレイが、前記タッチスクリーン上に、前記第2設定領域に対応する前記第2操作インタフェースを表示する前に、前記第1操作インタフェースの一部を表示し、かつ、操作インタフェース間の切り替えのためのプロンプトを表示するように構成された第3ディスプレイをさらに備える、請求項8に記載のタッチスクリーン端末。
【発明の詳細な説明】
【技術分野】
【０００１】
本発明は、通信技術の分野に関し、特に操作インタフェースを表示するための方法および装置、タッチスクリーン端末に関する。
【背景技術】
【０００２】
近年、便利な操作、大画面領域、および高解像度等の利点から、携帯電話、タブレット・コンピュータ、および非同期転送モード（Asynchronous Transfer Mode、ATM）機械等のタッチスクリーン端末が広く使用されている。タッチスクリーン端末は、人々の日常生活の中で必需品となっている。タッチスクリーン端末は、時に多くの操作インタフェースを非表示にする。ユーザがタッチスクリーン端末に操作インタフェースを表示させる必要がある場合、ユーザは、対応するタッチ操作を実行する必要がある。タッチ操作を検出した後、タッチスクリーン端末は、ユーザが操作を実行するために対応する操作インタフェースを表示する。
【０００３】
タッチスクリーン端末上にメッセージ通知を表示するための2つの方法が、説明のための例示として以下に使用される。
【０００４】
第1の方法：タッチスクリーン端末上の“シグナルバー”が、“通知”の操作インタフェースおよび“オン/オフ”の操作インタフェースに対応すると仮定すると、ユーザが“シグナルバー”をプルダウンした後、“通知”の操作インタフェースがデフォルトで表示される。ユーザが“オン/オフ”の操作インタフェースを切り替えたい場合、ユーザは、例えば、“タブキー(Tabulator Key、TAB)”のような別の切り替えボタンをタップして、操作インタフェース間の切り替えを完了する必要がある。第1の方法では、“シグナルバー”が最初にプルダウンされるとき、“通知”の操作インタフェースのみが表示されるようにでき、かつ“オン/オフ”の操作インタフェースを表示するために、追加の切り替え操作が実行される必要がある。
【０００５】
第2の方法：タッチスクリーン端末上の“シグナルバー”が、左右のサブ領域に従って設定され、左のサブ領域が、“通知”の操作インタフェースに対応し、かつ右のサブ領域が、“オン/オフ”の操作インタフェースに対応すると仮定する。左右のサブ領域をプルダウンした後に、操作インタフェースが不要な操作インタフェースであるとユーザが見出した場合、ユーザは操作インタフェースを折りたたみ、別のプルダウン操作を実行する必要がある。第2の方法では、操作インタフェース間で切り替えるために複雑な操作手順が実行される必要があることが理解できる。
【発明の概要】
【課題を解決するための手段】
【０００６】
本発明の実施形態は、操作インタフェース間の切り替えが実行されるときに、操作手順が複雑となり、かつ操作効率がさらに影響を受けるという、操作インタフェースを表示するための従来の方法における問題を解決するために、操作インタフェースを表示するための方法および装置、ならびにタッチスクリーン端末を提供する。
【０００７】
第1態様によれば、
タッチスクリーン上の第1設定領域においてユーザによって入力されるタッチ操作を受信するステップと、
タッチ操作が第2設定領域において終了することが検出される場合、タッチスクリーン上に、第2設定領域に対応する第2操作インタフェースを表示するステップと
を含む操作インタフェースを表示するための方法が提供される。
【０００８】
第1態様を参照して、第1態様の第1の可能な実施方法において、タッチスクリーン上に、第2設定領域に対応する第2操作インタフェースを表示するステップは、特に、
第2設定領域と第1設定領域との間の位置関係を決定するステップと、
第2設定領域が第1設定領域の第1設定位置に位置する場合、プリセット操作インタフェースシーケンスにおける第1操作インタフェースの前に位置する操作インタフェースを第2操作インタフェースとして使用するステップ、および、第2設定領域が第1設定領域の第2設定位置に位置する場合、プリセット操作インタフェースシーケンスにおける第1操作インタフェースの後に位置する操作インタフェースを、第2操作インタフェースとして使用するステップと、
タッチスクリーン上に第2操作インタフェースを表示するステップと
を含む。
【０００９】
第1態様または第1態様の第1の可能な実施方法を参照して、第1態様の第2の可能な実施方法において、方法は、
タッチ操作が第1設定領域において終了することが検出される場合、タッチスクリーン上に、第1設定領域に対応する第1操作インタフェースを表示するステップをさらに含む。
【００１０】
第1態様の第2の可能な実施方法を参照して、第1態様の第3の可能な実施方法において、タッチスクリーン上の第1設定領域においてユーザによって入力されるタッチ操作を受信するステップの後であって、タッチスクリーン上に、第2設定領域に対応する第2操作インタフェースを表示するステップの前に、方法は、
第1操作インタフェースの一部を表示するステップ、および操作インタフェース間の切り替えのためのプロンプトを表示するステップをさらに含む。
【００１１】
第2態様によれば、
タッチスクリーン上の第1設定領域においてユーザによって入力されるタッチ操作を受信するように構成された受信ユニットと、
タッチ操作が第2設定領域において終了するかどうかを検出するように構成された検出ユニットと、
検出ユニットがタッチ操作が第2設定領域において終了することを検出した場合、タッチスクリーン上に、第2設定領域に対応する第2操作インタフェースを表示するように構成された第1表示ユニットと
を備える操作インタフェースを表示するための装置が提供される。
【００１２】
第2態様を参照して、第2態様の第1の可能な実施方法において、第1表示ユニットは、
第2設定領域と第1設定領域との間の位置関係を決定するように構成された決定サブユニットと、
決定サブユニットが第2設定領域が第1設定領域の第1設定位置に位置すると決定する場合、プリセット操作インタフェースシーケンスにおける第1操作インタフェースの前に位置する操作インタフェースを第2操作インタフェースとして使用し、かつ、決定サブユニットが第2設定領域が第1設定領域の第2設定位置に位置すると決定する場合、プリセット操作インタフェースシーケンスにおける第1操作インタフェースの後に位置する操作インタフェースを第2操作インタフェースとして使用するように構成された判定サブユニットと、
タッチスクリーン上に、第2操作インタフェースを表示するように構成された表示サブユニットと
を備える。
【００１３】
第2態様または第2態様の第1の可能な実施方法を参照して、第2態様の第2の可能な実施方法において、装置は、検出ユニットがタッチ操作が第1設定領域において終了することを検出した場合、タッチスクリーン上に、第1設定領域に対応する第1操作インタフェースを表示するように構成された第2表示ユニットをさらに備える。
【００１４】
第2態様の第2の可能な実施方法を参照して、第2態様の第3の可能な実施方法において、装置は、
受信ユニットが、タッチスクリーン上の第1設定領域においてユーザによって入力されるタッチ操作を受信した後であって、第1表示ユニットが、タッチスクリーン上に、第2設定領域に対応する第2操作インタフェースを表示する前に、第1操作インタフェースの一部を表示し、かつ操作インタフェース間の切り替えのためのプロンプトを表示するように構成された第3表示ユニットをさらに備える。
【００１５】
第3態様によれば、
タッチスクリーン上の第1設定領域においてユーザによって入力されるタッチ操作を受信するように構成されたトランシーバと、
タッチ操作が第2設定領域において終了するかどうかを検出するように構成されたプロセッサと、
プロセッサがタッチ操作が第2設定領域において終了することを検出した場合、タッチスクリーン上に、第2設定領域に対応する第2操作インタフェースを表示するように構成された第1ディスプレイと
を備えるタッチスクリーン端末が提供される。
【００１６】
第3態様を参照して、第3態様の第1の可能な実施方法において、第1ディスプレイは、
第2設定領域と第1設定領域との間の位置関係を決定するように構成された決定サブユニットと、
決定サブユニットが第2設定領域が第1設定領域の第1設定位置に位置すると決定する場合、プリセット操作インタフェースシーケンスにおける第1操作インタフェースの前に位置する操作インタフェースを第2操作インタフェースとして使用し、決定サブユニットが第2設定領域が第1設定領域の第2設定位置に位置すると決定する場合、プリセット操作インタフェースシーケンスにおける第1操作インタフェースの後に位置する操作インタフェースを第2操作インタフェースとして使用するように構成された判定サブユニットと、
タッチスクリーン上に第2操作インタフェースを表示するように構成された表示サブユニットと
を備える。
【００１７】
第3態様または第3態様の第1の可能な実施方法を参照して、第3態様の第2の可能な実施方法において、装置は、
プロセッサがタッチ操作が第1設定領域において終了することを検出した場合、タッチスクリーン上に、第1設定領域に対応する第1操作インタフェースを表示するように構成された第2ディスプレイをさらに備える。
【００１８】
第3態様の第2の可能な実施方法を参照して、第3態様の第3の可能な実施方法において、装置は、
トランシーバが、タッチスクリーン上の第1設定領域においてユーザによって入力されるタッチ操作を受信した後であって、第1ディスプレイが、タッチスクリーン上に、第2設定領域に対応する第2操作インタフェースを表示する前に、第1操作インタフェースの一部を表示し、かつ、操作インタフェース間の切り替えのためのプロンプトを表示するように構成された第3ディスプレイをさらに備える。
【００１９】
第1態様によって提供される操作インタフェースを表示するための方法、第2態様によって提供される操作インタフェースを表示するための装置、または第3態様によって提供されるタッチスクリーン端末によれば、タッチスクリーン上の第1設定領域においてユーザによって入力されるタッチ操作が受信された後、第1設定領域に対応する第1操作インタフェースが直接的に表示されず、その代わりに、タッチ操作が終了する領域が検出され、タッチ操作が第2設定領域において終了する場合、すなわち、第1設定領域においてユーザによって入力されたタッチ操作が誤操作である場合、この場合には、ユーザはタッチ操作が第2設定領域において終了するようにタッチ操作を調整する必要があるのみであり、さらにこの場合には、ユーザはさらにワンタッチ操作によって必要な操作インタフェースを得ることができ、かつ操作インタフェース間で切り替えるために複雑な操作手順を実行する必要がない。操作インタフェースを表示するための従来の方法と比較して、操作手順の量が削減され、かつ操作効率が向上する。
【図面の簡単な説明】
【００２０】
本発明の実施形態における技術的解決法をより明確に説明するために、実施形態を説明するために必要な添付図面が以下に簡単に説明される。明らかに、以下の説明における添付図面は、単に本発明のいくつかの実施形態を示しているに過ぎず、当業者はさらに、創造的努力なしに、これらの添付の図面から他の図面を導き出すことができる。
【００２１】
【図１】本発明の実施形態による操作インタフェースを表示するための方法のフローチャートである。
【図２】本発明の別の実施形態によるメディアファイルを処理するための方法のフローチャートである。
【図３】本発明の実施形態によるタッチ操作が第1設定領域において開始し、第2設定領域において終了することを示す概略図である。
【図４】本発明の実施形態によるタッチ操作が第1設定領域において開始し、第1設定領域において終了することを示す概略図である。
【図５】本発明の実施形態による第1操作インタフェースの一部を表示する概略図である。
【図６】本発明の実施形態による“オン/オフに切り替えるために右にスライド”と、右にスライドダウンするジェスチャを組み合わせるプロンプト方法の概略図である。
【図７】本発明の実施形態による“通知に切り替えるために左にスライド”と、左にスライドダウンするジェスチャを組み合わせるプロンプト方法の概略図である。
【図８】本発明の実施形態による左のサブ領域をプルダウンするプロセス中に、ユーザが誤操作が実行されることを見出し、次いで操作インタフェースに切り替える第1のアプリケーションシナリオにおけるタッチ操作の概略図である。
【図９】本発明の実施形態による右のサブ領域をプルダウンするプロセス中に、ユーザが誤操作が実行されることを見出し、次いで操作インタフェースに切り替える第1のアプリケーションシナリオにおけるタッチ操作の概略図である。
【図１０】本発明の実施形態による左のサブ領域をプルダウンするプロセス中に、ユーザが誤操作が実行されることを見出し、次いで操作インタフェースに切り替える第2のアプリケーションシナリオにおけるタッチ操作の概略図である。
【図１１】本発明の実施形態による右のサブ領域をプルダウンするプロセス中に、ユーザが誤操作が実行されることを見出し、次いで操作インタフェースに切り替える第2のアプリケーションシナリオにおけるタッチ操作の概略図である。
【図１２】本発明の実施形態による操作インタフェースを表示するための装置の概略構造図である。
【図１３】本発明の実施形態による第1表示ユニットの概略構造図である。
【図１４】本発明の実施形態による操作インタフェースを表示するための別の装置の概略構造図である。
【図１５】本発明の実施形態による操作インタフェースを表示するための第3の装置の概略構造図である。
【図１６】本発明の実施形態によるタッチスクリーン端末の概略構造図である。
【図１７】本発明の実施形態による第1ディスプレイの概略構造図である。
【図１８】本発明の実施形態による別のタッチスクリーン端末の概略構造図である。
【図１９】本発明の実施形態による第3のタッチスクリーン端末の概略構造図である。
【発明を実施するための形態】
【００２２】
操作インタフェースが切り替えられるときに、操作手順が複雑であり、かつ操作効率がさらに影響を受けるという操作インタフェースを表示するための従来の方法における問題を解決するために、本発明の実施形態は、操作インタフェースを表示するための方法を提供する。方法は、タッチスクリーン端末によって実行されてもよいが、これに限定されない。方法のプロセスは、タッチスクリーン端末が方法を実行する実施例を使用して以下に説明される。図1に示されるように、方法の具体的なステップは、以下のステップを含む。
【００２３】
S11: タッチスクリーン上の第1設定領域においてユーザによって入力されるタッチ操作を受信する。
【００２４】
タッチスクリーン端末のタッチスクリーンは、一般的に4つの縁を有し、かつ操作インタフェースが設定され、各縁に隠されてもよい。例えば、Androidのシステムでは、“シグナルバー”が、タッチスクリーンの上縁に隠されてもよい。もちろん、“シグナルバー”が、タッチスクリーンの左縁、右縁、または下縁に隠されてもよい。“シグナルバー”が、上縁に隠されている実施例が説明のために以下に使用される。
【００２５】
“シグナルバー”は、左および右のサブ領域に従って設定されてもよい。左のサブ領域は、“通知”の操作インタフェースに対応し、かつ右のサブ領域は、“オン/オフ”操作インタフェースに対応する。“通知”および“オン/オフ”の操作インタフェースは、タッチスクリーンの上縁に隠される。ユーザが“通知”の操作インタフェースを表示する必要があるとき、ユーザは、タッチスクリーンの上縁上の左のサブ領域をプルダウンしてもよい。ユーザが“オン/オフ”の操作インタフェースを表示する必要があるとき、ユーザは、タッチスクリーンの上縁上の右のサブ領域をプルダウンしてもよい。ユーザによる識別の便宜のために、図2に示されるように、“通知”ボタンと“オン/オフ”ボタンが設定されてもよい。“通知”ボタンと“オン/オフ”ボタンは、通常は隠されており、ユーザがプルダウン操作を実行した後に、“通知”ボタンと“オン/オフ”ボタンが表示されてもよい。“通知”ボタンと“オン/オフ”ボタンが設定される実施例が、説明のために以下に使用される。
【００２６】
タッチスクリーン端末上の第1設定領域においてユーザによって実行されるタッチ操作がタッチスクリーン端末によって受信されてもよく、第1設定領域、すなわち、ユーザがタッチ操作を入力する領域は、左のサブ領域であってもよく、または右のサブ領域であってもよい。
【００２７】
S12: タッチ操作が第2設定領域において終了するかどうかを検出し、タッチ操作が第2設定領域において終了することが検出される場合、S13を実行し、かつタッチ操作が第1設定領域において終了することが検出される場合、S14を実行する。
【００２８】
表示される必要がある操作インタフェースは、ユーザのタッチ操作が終了する領域を検出することによって決定されてもよい。
【００２９】
S13: タッチスクリーン上に、第2設定領域に対応する第2操作インタフェースを表示する。
【００３０】
タッチ操作が第2設定領域において終了するとき、第2設定領域に対応する第2操作インタフェースが表示される。
【００３１】
前述の実施例を続けて、図3に示されるように、第1設定領域がタッチスクリーンの左のサブ領域であり、かつタッチ操作が終了する領域が右のサブ領域、すなわち第2設定領域である場合、右のサブ領域に対応する操作インタフェースが表示され、すなわち“オン/オフ”の操作インタフェースが表示される。
【００３２】
S14: タッチスクリーン上に、第1設定領域に対応する第1操作インタフェースを表示する。
【００３３】
タッチ操作が第1設定領域において終了するとき、第1設定領域に対応する第1操作インタフェースが表示される。
【００３４】
前述の実施例を続けて、図4に示されるように、第1設定領域がタッチスクリーンの左のサブ領域であり、かつタッチ操作が終了する領域がさらに左のサブ領域である場合、左のサブ領域に対応する操作インタフェースが表示され、すなわち“通知”の操作インタフェースが表示される。
【００３５】
この解決策において、タッチスクリーン上の第1設定領域においてユーザによって入力されるタッチ操作が受信された後、第1設定領域に対応する第1操作インタフェースが直接的に表示されず、その代わりに、タッチ操作が終了する領域が検出され、タッチ操作が第2設定領域において終了する場合、すなわち、第1設定領域においてユーザによって入力されたタッチ操作が誤操作である場合、この場合では、ユーザは、タッチ操作が第2設定領域において終了するように、タッチ操作を調整する必要があるのみであり、このようにして、ユーザはさらにワンタッチ操作によって必要な操作インタフェースを得ることができ、操作インタフェース間で切り替えるために複雑な操作手順を実行する必要がない。操作インタフェースを表示するための従来の方法と比較して、操作手順の量が削減され、かつ操作効率が向上する
【００３６】
特に、前述のS13におけるタッチスクリーン上に第2設定領域に対応する第2操作インタフェースを表示するステップは、特に、
第2設定領域と第1設定領域との間の位置関係を決定するステップと、
第2設定領域が第1設定領域の第1設定位置に位置する場合、プリセット操作インタフェースシーケンスにおける第1操作インタフェースの前に位置する操作インタフェースを第2操作インタフェースとして使用するステップ、および、第2設定領域が第1設定領域の第2設定位置に位置する場合、プリセット操作インタフェースシーケンスにおける第1操作インタフェースの後に位置する操作インタフェースを第2操作インタフェースとして使用するステップと、
タッチスクリーン上に、第2操作インタフェースを表示するステップと
を含む。
【００３７】
第2設定領域に対応する第2操作インタフェースは、第2設定領域と第1設定領域との間の位置関係に従って、タッチスクリーン上に表示される必要がある。
【００３８】
前述の実施例を続けて、第1設定領域が左のサブ領域であり、かつ第2設定領域が右のサブ領域であるとき、すなわち、第2設定領域が第1設定領域の右側に位置するとき、この場合、第1設定位置は、右側である。操作インタフェースシーケンスは、タッチスクリーン端末上に予め設定されてもよい。第2設定領域が第1設定領域の右側に位置するので、プリセット操作インタフェースシーケンスにおける第1操作インタフェースの前に位置する操作インタフェースは、第2操作インタフェースとして使用される。表示される操作インタフェースは、プリセット操作インタフェースシーケンスに連続して記憶され、かつ左のサブ領域に対応する操作インタフェースは、プリセット操作インタフェースシーケンスとして使用されてもよい。
【００３９】
第1設定領域が右のサブ領域であり、かつ第2設定領域が左のサブ領域である、すなわち、第2設定領域が第1設定領域の左側に位置するとき、この場合、第2設定位置は左側である。第2設定領域は、第1設定領域の左側に位置するので、プリセット操作インタフェースシーケンスにおける第1操作インタフェースの後に位置する操作インタフェースは、第2操作インタフェースとして使用される。
【００４０】
第2操作インタフェースが決定された後、第2操作インタフェースはタッチスクリーン上に表示されてもよい。
【００４１】
任意選択で、前述のS11においてタッチスクリーン上の第1設定領域においてユーザによって入力されるタッチ操作を受信するステップの後であって、前述のS13においてタッチスクリーン上に、第2設定領域に対応する第2操作インタフェースを表示するステップの前に、方法は、
第1操作インタフェースの一部を表示するステップ、および操作インタフェース間の切り替えのためのプロンプトを表示するステップをさらに含む。
【００４２】
前述の実施例を続けて、ユーザが左のサブ領域においてプルダウン操作を実行した後、図5に示されるように、左のサブ領域に対応する操作インタフェースの一部またはすべてが表示されてもよい。
【００４３】
操作インタフェース間の切り替えのためのプロンプトが表示されてもよい。ユーザが、表示された操作インタフェースに従って、プルダウン操作が誤った領域において実行されることを見出した場合、ユーザは、プロンプトに従って、さらに必要な操作インタフェースに切り替える。この方法はさらに、ユーザが必要な操作インタフェースをすぐに開くのに役立ち、ユーザが記憶する労力と、誤操作によって引き起こされる複雑な操作手順の問題を省くことができる。操作インタフェース間の切り替えのためのプロンプトを表示するための方法は、テキストプロンプトの方法、ジェスチャプロンプトの方法、または両者を組み合わせた方法等であってもよい。図6および図7はそれぞれ、“オン/オフに切り替えるために右にスライド”と、右にスライドダウンするジェスチャを組み合わせるプロンプト方法と、“通知に切り替えるために左にスライド”と、左にスライドダウンするジェスチャを組み合わせるプロンプト方法とを示している。
【００４４】
タッチスクリーン端末が、操作インタフェース間の切り替えをする方法は、以下の2つのアプリケーションシナリオを含んでもよい。
【００４５】
第1のアプリケーションシナリオ: 図8に示されるように、左のサブ領域をプルダウンするプロセス中に、ユーザは、誤操作が実行されることを見出す。この場合、ユーザは、右側にスライドし、かつ右のサブ領域において止めてもよく、かつタッチスクリーン端末は、ユーザがタッチ操作を終了する領域に従って、右のサブ領域に対応する操作インタフェースに切り替える。
【００４６】
あるいは、図9に示されるように、右のサブ領域をプルダウンするプロセス中に、ユーザが誤操作が実行されることを見出す。この場合、ユーザは、左側にスライドし、かつ左のサブ領域において止めてもよく、かつタッチスクリーン端末は、ユーザがタッチ操作を終了する領域に従って、右のサブ領域に対応する操作インタフェースに切り替える。
【００４７】
第2のアプリケーションシナリオ: 図10に示されるように、左のサブ領域をプルダウンした後すぐに、ユーザは誤操作が実行されることを見出す。この場合に、ユーザは直接的に右にスライドダウンし、かつ右のサブ領域において止めてもよく、かつタッチスクリーン端末は、ユーザがタッチ操作を終了する領域に従って、右のサブ領域に対応する操作インタフェースに切り替える。
【００４８】
あるいは、図11に示されるように、右のサブ領域をプルダウンした後すぐに、ユーザが誤操作が実行されることを見出す。この場合に、ユーザは直接的に左にスライドダウンし、左のサブ領域において止めてもよく、かつタッチスクリーン端末は、ユーザがタッチ操作を終了する領域に従って、右のサブ領域に対応する操作インタフェースに切り替える。
【００４９】
本発明の実施形態において操作インタフェースを表示するための方法により、ユーザが誤操作を実行した後、ユーザは直接的に必要な操作インタフェースに切り替えてもよく、かつ操作インタフェース間で切り替えるために複雑な操作手順を実行する必要がない。操作インタフェースを表示するための従来の方法と比較して、操作手順の量が削減され、かつ操作効率が向上する。
【００５０】
同一の発明コンセプトに基づいて、本発明の実施形態は、操作インタフェースを表示するための装置をさらに提供し、装置の構造は図12に示されており、
タッチスクリーン上の第1設定領域においてユーザによって入力されるタッチ操作を受信するように構成された受信ユニット121と、
タッチ操作が第2設定領域において終了するかどうかを検出するように構成された検出ユニット122と、
検出ユニットがタッチ操作が第2設定領域において終了することを検出した場合、タッチスクリーン上に、第2設定領域に対応する第2操作インタフェースを表示するように構成された第1表示ユニット123と
を備える。
【００５１】
特に、図13に示されるように、第1表示ユニット123は、
第2設定領域と第1設定領域との間の位置関係を決定するように構成された決定サブユニット1231と、
決定サブユニットが第2設定領域が第1設定領域の第1設定位置に位置すると決定する場合、プリセット操作インタフェースシーケンスにおける第1操作インタフェースの前に位置する操作インタフェースを第2操作インタフェースとして使用し、かつ、決定サブユニットが第2設定領域が第1設定領域の第2設定位置に位置すると決定する場合、プリセット操作インタフェースシーケンスにおける第1操作インタフェースの後に位置する操作インタフェースを第2操作インタフェースとして使用するように構成された判定サブユニット1232と、
タッチスクリーン上に第2操作インタフェースを表示するように構成された表示サブユニット1233と
を備える。
【００５２】
任意選択で、図14に示されるように、操作インタフェースを表示するための装置は、
検出ユニットがタッチ操作が第1設定領域において終了することを検出した場合、タッチスクリーン上に、第1設定領域に対応する第1操作インタフェースを表示するように構成された第2表示ユニット124をさらに備える。
【００５３】
任意選択で、図15に示されるように、操作インタフェースを表示するための装置は、
受信ユニットが、タッチスクリーン上の第1設定領域においてユーザによって入力されるタッチ操作を受信した後であって、第1表示ユニットが、タッチスクリーン上に、第2設定領域に対応する第2操作インタフェースを表示する前に、
第1操作インタフェースの一部を表示し、かつ、操作インタフェース間の切り替えのためのプロンプトを表示するように構成された第3表示ユニット125をさらに備える。
【００５４】
同一の発明コンセプトに基づいて、本発明の実施形態は、タッチスクリーン端末をさらに提供し、タッチスクリーン端末の構造は、図16に示されており、
タッチスクリーン上の第1設定領域においてユーザによって入力されるタッチ操作を受信するように構成されたトランシーバ161と、
タッチ操作が第2設定領域において終了するかどうかを検出するように構成されたプロセッサ162と、
プロセッサがタッチ操作が第2設定領域において終了することを検出した場合、タッチスクリーン上に、第2設定領域に対応する第2操作インタフェースを表示するように構成された第1ディスプレイ163と
を備える。
【００５５】
トランシーバ161と、プロセッサ162と、第1ディスプレイ163は、バスを使用して互いに接続される。
【００５６】
特に、図17に示されるように、第1ディスプレイ163は、
第2設定領域と第1設定領域との間の位置関係を決定するように構成された決定サブユニット1631と、
決定サブユニットが第2設定領域が第1設定領域の第1設定位置に位置すると決定する場合、プリセット操作インタフェースシーケンスにおける第1操作インタフェースの前に位置する操作インタフェースを第2操作インタフェースとして使用し、かつ、決定サブユニットが第2設定領域が第1設定領域の第2設定位置に位置すると決定する場合、プリセット操作インタフェースシーケンスにおける第1操作インタフェースの後に位置する操作インタフェースを第2操作インタフェースとして使用するように構成された判定サブユニット1632と、
タッチスクリーン上に、第2操作インタフェースを表示するように構成された表示サブユニット1633と
を備える。
【００５７】
任意選択で、図18に示されるように、操作インタフェースを表示するための装置は、
プロセッサがタッチ操作が第1設定領域において終了することを検出した場合、タッチスクリーン上に、第1設定領域に対応する第1操作インタフェースを表示するように構成された第2ディスプレイ164をさらに備える。
【００５８】
任意選択で、図19に示されるように、操作インタフェースを表示するための装置は、
トランシーバが、タッチスクリーン上の第1設定領域においてユーザによって入力されるタッチ操作を受信した後であって、第1ディスプレイが、タッチスクリーン上に、第2設定領域に対応する第2操作インタフェースを表示する前に、第1操作インタフェースの一部を表示し、かつ、操作インタフェース間の切り替えのためのプロンプトを表示するように構成された第3ディスプレイ165をさらに備える。
【００５９】
本発明は、本発明の実施形態による方法、デバイス(システム)、およびコンピュータプログラム製品のフローチャートおよび/またはブロック図を参照して説明されている。コンピュータプログラム命令は、フローチャートおよび/またはブロック図における各プロセスおよび/または各ブロックならびにフローチャートおよび/またはブロック図におけるプロセスおよび/またはブロックの組合せを実装するために使用されてもよいことは理解されるべきである。これらのコンピュータプログラム命令は、マシンを生成するために、汎用コンピュータ、専用コンピュータ、組み込みプロセッサ、または任意の他のプログラム可能なデータ処理デバイスのプロセッサに提供されてもよく、その結果、コンピュータまたは任意の他のプログラム可能なデータ処理デバイスのプロセッサによって実行される命令は、フローチャートにおける1または複数のプロセスにおける、および/または、ブロック図における1または複数のブロックにおける特定の機能を実装するための装置を生成する。
【００６０】
これらのコンピュータプログラム命令はまた、コンピュータまたは任意の他のプログラム可能データ処理デバイスに命令して特定の方法で動作させることができるコンピュータ可読メモリに記憶されてもよく、その結果、コンピュータ可読メモリに記憶された命令は、命令装置を含むアーティファクトを生成する。命令装置は、フローチャートにおける1または複数のプロセスにおける、および/または、ブロック図における1または複数のブロックにおける特定の機能を実装する。
【００６１】
一連の操作およびステップがコンピュータまたは別のプログラム可能なデバイス上で実行され、それによってコンピュータ実装処理を生成するように、これらのコンピュータプログラム命令はまた、コンピュータまたは別のプログラム可能なデータ処理デバイスにロードされてもよい。従って、コンピュータまたは別のプログラム可能なデバイス上で実行される命令は、フローチャートにおける1または複数のプロセスにおける、および/または、ブロック図における1または複数のブロックにおける特定の機能を実装するためのステップを提供する。
【００６２】
本発明の使用可能な実施形態を説明してきたが、当業者は、彼らが基本的な発明コンセプトを学習すると、これらの実施形態に変更および修正を行うことができる。従って、以下の特許請求の範囲は、使用可能な実施形態を包含し、すべての変更および修正が本発明の範囲内にあるとして解釈されると意図される。
【００６３】
明らかに、当業者は、本発明の実施形態の精神および範囲から逸脱することなく、本発明の実施形態に様々な修正および変形を行うことができる。本発明は、以下の特許請求の範囲およびそれらの均等な技術によって定義される保護の範囲内に入る提供されるこれらの修正および変形を包含するものと意図される。
【符号の説明】
【００６４】
１２１  受信ユニット
１２２  検出ユニット
１２３  第１表示ユニット
１２４  第２表示ユニット
１２５  第３表示ユニット
１６１  トランシーバ
１６２  プロセッサ
１６３  第１ディスプレイ
１６４  第２ディスプレイ
１６５  第３ディスプレイ
１２３１  決定サブユニット
１２３２  判定サブユニット
１２３３  表示サブユニット
１６３１  決定サブユニット
１６３２  判定サブユニット
１６３３  表示サブユニット
【図１】
0006421198.tif 000002
【図２】
0006421198.tif 000003
【図３】
0006421198.tif 000004
【図４】
0006421198.tif 000005
【図５】
0006421198.tif 000006
【図６】
0006421198.tif 000007
【図７】
0006421198.tif 000008
【図８】
0006421198.tif 000009
【図９】
0006421198.tif 000010
【図１０】
0006421198.tif 000011
【図１１】
0006421198.tif 000012
【図１２】
0006421198.tif 000013
【図１３】
0006421198.tif 000014
【図１４】
0006421198.tif 000015
【図１５】
0006421198.tif 000016
【図１６】
0006421198.tif 000017
【図１７】
0006421198.tif 000018
【図１８】
0006421198.tif 000019
【図１９】
0006421198.tif 000020